(57)【要約】    【課題】  リターンローラを簡単に交換できるようにした取付け構造を提供する。    【解決手段】  リターン側のコンベアベルトの下面を受けるリターンローラをベルトコンベアの固定構造部分に回転自在に取付けるようにしたベルトコンベアのリターンローラ取付け構造において、固定構造部分１０にはベースプレート１５を取付け、ベースプレートには取付けブラケット１４の一端部を回転自在に取付け、取付けブラケットの他端部はベースプレートに着脱可能に取付け、取付けブラケットの上端縁の嵌込み凹所１４Ａにはリターンローラ１３の取付け軸１３Ａを着脱可能に嵌め込み、取付けブラケットの他端部をベースプレートから離脱させて一端部の廻りに回動させることによって、リターンローラをリターン側のコンベアベルト２０Ｂから離脱させて取付けブラケットから取り外せるようになす。【選択図】  図６
2014214005.tif 000002
【特許請求の範囲】
【請求項１】
リターン側のコンベアベルトの下面を受けるリターンローラをベルトコンベアの固定構造部分に回転自在に取付けるようにしたベルトコンベアのリターンローラ取付け構造において、
上記固定構造部分（１０）にはベースプレート（１５）が取付けられ、該ベースプレート（１５）には取付けブラケット（１４）の一端部が回転自在に取付けられ、該取付けブラケット（１４）の他端部は上記ベースプレート（１５）に着脱可能に取付けられ、上記取付けブラケット（１４）の上端縁の嵌込み凹所（１４Ａ）にはリターンローラ（１３）の取付け軸（１３Ａ）が着脱可能に嵌め込まれており、
上記取付けブラケット（１４）の他端部を上記ベースプレート（１５）から離脱させて一端部の廻りに回動させることによって、上記リターンローラ（１３）をリターン側のコンベアベルト（２０Ｂ）から離脱させて上記取付けブラケット（１４）から取り外せるようになしたことを特徴とするベルトコンベアのリターンローラ取付け構造。
【請求項２】
上記取付けブラケット（１４）が正面凵状でかつ側面¬状をなし、上記正面凵状のベルトコンベア外方側の部分が上記ベースプレート（１５）に取付けられ、正面凵状のベルトコンベア内方側の部分に上記嵌込み凹所（１４Ａ）が形成されている請求項１記載のベルトコンベアのリターンローラ取付け構造。
【請求項３】
上記ベルトコンベアの固定構造部分がコンベアフレーム（１０）である請求項１記載のベルトコンベアのリターンローラ取付け構造。
【請求項４】
上記取付けブラケット（１４）とベースプレート（１５）の他端部がボルト・ナット又はコッター（１７）と係止ピン（１６）によって連結されている請求項１記載のベルトコンベアのリターンローラ取付け構造。
【請求項５】
上記ベースプレート（１５）及び取付けブラケット（１４）の一端部には軸挿通穴（１５Ａ、１４Ｂ）が、他端側には治具挿通穴（１５Ｂ、１４Ｃ）が形成され、上記軸挿通穴（１５Ｂ、１４Ｃ）には回転軸（１９）が挿通されて上記取付けブラケット（１４）が上記ベースプレート（１５）に対して回転可能となっている一方、上記治具挿通穴（１５Ｂ、１４Ｃ）にはボルト又は係止ピン（１６）が挿通され、上記ボルトがナットに螺合されるか又は上記係止ピン（１６）にコッター（１７）が挿入されて上記取付けブラケット（１４）の他端部がベースプレート（１５）に着脱可能に取付けられている請求項４記載のベルトコンベアのリターンローラ取付け構造。
【発明の詳細な説明】
【技術分野】
【０００１】
本発明はベルトコンベアのリターンローラ取付け構造に関し、特にリターンローラを簡単に交換できるようにした取付け構造に関する。
【背景技術】
【０００２】
ベルトコンベアは、駆動ローラと従動ローラとの間にコンベアベルトを無端状に掛け渡し、駆動ローラを回転させることによってコンベアベルトを周回させるような構造となっており、現在、輸送手段として最も低価格の輸送機であり、各種の工場や設備で多く採用されている。
【０００３】
コンベアベルトのキャリア側では搬送する荷がこぼれないように、キャリアローラによってコンベアベルトを凹状になるように受けているが、リターン側では横幅方向に延びるリターンローラによってコンベアベルトを受けることが行われる。
【０００４】
上述のリターンローラでは長期の使用によって軸受やローラが磨耗し、ローラが損傷することから、適宜交換する必要がある。リターンローラを交換する場合、リターンローラにコンベアベルトの荷重が加わってリターンローラとリターン側のコンベアベルトとが圧接しているので、コンベアベルトを持ち上げながら、交換する必要がある。
【０００５】
そこで、ジャッキなどを用いてコンベアベルトを持ち上げるようにした機構が提案されている（特許文献１、特許文献２、特許文献３）。
【０００６】
また、コンベアフレーム等に取付けブラケットを傾動可能又は回動可能に取付け、取付けブラケットに一対のリターンローラを回転自在に支持し、取付けブラケットを傾動又は回動させることによって、リターン側のコンベアベルトに圧接して磨耗又は損傷した一方のリターンローラをコンベアベルトから離脱させ、他方のリターンローラをリターン側のコンベアベルトに圧接させるようにしたリターンローラの取付け構造が提案されている（特許文献４、特許文献５）。
【先行技術文献】
【特許文献】
【０００７】
【特許文献１】実開昭５８−４１７０９号公報
【特許文献２】実開昭６３−１４４９１４号公報
【特許文献３】特開平１０−３５８５４号公報
【特許文献４】実開昭５７−５８５２７号公報
【特許文献５】特開平０９−２７８１５０号公報
【発明の開示】
【発明が解決しようとする課題】
【０００８】
しかし、特許文献１〜３記載の構造ではジャッキによってコンベアベルトを持ち上げるので、リターンローラ交換時における作業者の負担が少ないものの、リターンローラ廻りの構造が複雑になる。
【０００９】
他方、特許文献４、５記載の取付け構造では使用しないリターンローラを常に装備していなければならず、コスト高になる。
【００１０】
本発明はかかる問題点に鑑み、１つのリターンローラでリターン側コベアベルトを受けることができ、しかも交換作業を簡単に行えるようにしたベルトコンベアのリターンローラ取付け構造を提供することを課題とする。
【課題を解決するための手段】
【００１１】
そこで、本発明に係るベルトコンベアのリターンローラ取付け構造は、リターン側のコンベアベルトの下面を受けるリターンローラをベルトコンベアの固定構造部分に回転自在に取付けるようにしたベルトコンベアのリターンローラ取付け構造において、上記固定構造部分にはベースプレートが取付けられ、該ベースプレートには取付けブラケットの一端部が回転自在に取付けられ、該取付けブラケットの他端部は上記ベースプレートに着脱可能に取付けられ、上記取付けブラケットの上端縁の嵌込み凹所にはリターンローラの取付け軸が着脱可能に嵌め込まれており、上記取付けブラケットの他端部を上記ベースプレートから離脱させて一端部の廻りに回動させることによって、上記リターンローラをリターン側のコンベアベルトから離脱させて上記取付けブラケットから取り外せるようになしたことを特徴とする。
【００１２】
本発明の特徴の１つはリターンローラの取付けブラケットをベースプレートの一端部の廻りに回動自在とし、他端部をベースプレートの他端部から取外し、取付けブラケットを一端部の廻りに回動させてリターンローラを取付けブラケットの嵌込み凹所から取り外せるようにした点にある。
【００１３】
これにより、コンベアベルトを手で大きく持ち上げることなく、リターンローラを簡単に交換することができ、又リターンローラの取付けブラケット廻りの構造も複雑になることもない。
【００１４】
取付けブラケットの形状は特に限定されず、例えば１枚のプレート状としてもよいが、充分な強度が得られないおそれがある。そこで、取付けブラケットは正面凵状でかつ側面¬状となし、正面凵状のベルトコンベア外方側の部分をベースプレートに取付け、正面凵状のベルトコンベア内方側の部分に嵌込み凹所を形成するようにするのがよい。
【００１５】
リターンローラはベルトコンベアの固定構造部分に取付ければよく、例えばコンベアフレームに取付けることができるが、他の固定構造部分、例えばコンベアフレームに支柱を立てて支柱にリターンローラを取付けるようにしてもよい。
【００１６】
取付けブラケットとベースプレートの他端部はボルト・ナット又はコッターと係止ピンによって連結するようにしてもよい。
【００１７】
例えば、ベースプレート及び取付けブラケットの一端部には軸挿通穴を、他端側には治具挿通穴を形成し、軸挿通穴には回転軸を挿通させて取付けブラケットをベースプレートに対して回転可能となす一方、治具挿通穴にはボルト又は係止ピンを挿通し、ボルトをナットに螺合させるか又は係止ピンの長穴にコッターを挿入させて取付けブラケットの他端部をベースプレートに着脱可能に取付けることができる。
【図面の簡単な説明】
【００１８】
【図１】本発明に係るベルトコンベアのリターンローラ取付け構造の好ましい実施形態を示す図である。
【図２】上記実施形態を示す要部正面図である。
【図３】上記実施形態における要部平面図である。
【図４】上記実施形態におけるベースプレートを示す図である。
【図５】上記実施形態におけるベースプレート、取付けブラケット及びリターンローラの関係を示す図である。
【図６】上記実施形態の動作を示す図である。
【図７】第２の実施形態におけるベースプレートを示す図である。
【図８】上記実施形態におけるベースプレート、取付けブラケット及びリターンローラの関係を示す図である。
【発明を実施するための形態】
【００１９】
以下、本発明を図面に示す具体例に基づいて詳細に説明する。図１ないし図６は本発明に係るベルトコンベアのリターンローラ取付け構造の好ましい実施形態を示す。図において、コンベアフレーム１０には一端側に従動ローラが、他端側に駆動ローラが設けられ、駆動ローラと従動ローラの間にはコンベアベルト２０が無端状に掛け渡され、駆動側ローラの回転によってコンベアベルトが周回されて輸送物を輸送するようになっている。
【００２０】
コンベアフレーム１０は断面コ字状をなし、コンベアフレーム１０の上側壁面には横架ベース３０がベルトコンベアの横幅方向に延びて設けられ、横架ベース３０の両端部には第１のスタンド３１が立設され、横架ベース３０の中間には一対の第２のスタンド３２が間隔をあけて立設され、第１、第２のスタンド３１、３２の上端縁には嵌込み凹部が形成されて中央の水平ローラ１１及び左右の傾斜ローラ１２の回転軸が着脱可能に嵌め込まれている。
【００２１】
また、コンベアフレーム１０の下側壁面には断面逆Ｌ字状のベースプレート１５がコンベアフレーム１０の挿通穴とベースプレート１５の長穴にボルトを挿通しナットに螺合されることによって固定され、該ベースプレート１５にはリターンローラ１３の取付けブラケット１４が取付けられている。
【００２２】
この取付けブラケット１４は正面凵状でかつ側面¬状をなし、取付けブラケット１４の正面凵状のベルトコンベアの外方側の部分のコンベアベルト２０Ａの搬送方向の一端部には軸挿通穴１４Ｂが形成され、ベースプレート１５のコンベアベルト２０Ａの搬送方向の一端部には軸挿通穴１５Ａが形成され、両軸挿通穴１４Ｂ、１５Ａにはボルト（回転軸）１９が挿通されてナット１９Ａに螺合されることによって、取付けブラケット１４の一端部はベースプレート１５に対して回転可能に取付けられている。
【００２３】
また、取付けブラケット１４の正面凵状のベルトコンベアの外方側の部分のコンベアベルト２０Ａの搬送方向の他端部には治具挿通穴１４Ｃが形成され、ベースプレート１５のコンベアベルト２０Ａの搬送方向の他端部には治具挿通穴１５Ｂが形成され、両軸挿通穴１４Ｃ、１５Ｂにはボルトが挿通されてナットに螺合されることによって、取付けブラケット１４の他端部はベースプレート１５に対して着脱可能に取付けられている。
【００２４】
取付けブラケット１４の正面凵状のベルトコンベアの内方側の部分の上端縁のコンベアベルト２０Ａの搬送方向の中央には嵌込み凹所１４Ａが形成され、該嵌込み凹所１４Ａにはリターンローラ１３の取付け軸１３Ａが着脱可能に嵌め込まれている。
【００２５】
リターンローラ１３を交換する場合、図６の状態Ａにおいて取付けブラケット１４の一端部のボルト１９・ナット１９Ａを弛めるとともに、他端側のボルト・ナットを弛めて抜き取ると、ボルト１９の廻りに取付けブラケット１４を図６の矢印Ｃに示されるように回動させることができ、図６の状態Ｂにおいてリターンローラ１３を矢印Ｄに示されるように、取付けブラケット１４の嵌込み凹所１４Ａから抜き取り、新しいリターンローラ１３の取付け軸１３Ａを嵌込み凹所１４Ａに嵌め込み、取付けブラケット１４を矢印Ｃと逆方向に回動させ、ボルト・ナットによって取付けブラケット１４の他端部をベースプレート１５に固定し、取付けブラケット１４の一端側のボルト１９・ナット１９Ａを締付ければよい。
【００２６】
このとき、リターンボルト１３とリターン側のコンベアベルト２０Ｂとは圧接しているが、取付けブラケット１４は一端部を中心に下方に回動するので、リターン側のコンベアベルト２０Ｂを大きく持ち上げる必要がなく、作業者の負担が少ない。
【００２７】
図７及び図８は第２の実施形態を示す。図において、図１と同一符号は同一又は相当部分を示す。本例では取付けブラケット１４及びベースプレート１５の他端側に、縦長の治具挿通穴を形成し、両治具挿通穴に係止ピン１６を差し込み、係止ピン１６の長穴にコッター１７を押し込むことによって、取付けブラケット１４の他端部をベースプレート１５に対して着脱可能に取付けている。なお、図中、１８はコッター１７の落下防止用のチェーンである。
【００２８】
本例ではコッター１７を打撃などによって係止ピン１６から抜き取り、係止ピン１６の長穴に押し込むことによって取付けブラケット１４を一端部廻りに回動させ、取付けることができる。
【符号の説明】
【００２９】
１０      コンベアフレーム
１３      リターンローラ
１３Ａ      取付け軸
１４      取付けブラケット
１４Ａ    嵌込み凹所
１４Ｂ    軸挿通穴
１４Ｃ    治具挿通穴
１５      ベースプレート
１５Ａ    軸挿通穴
１５Ｂ    治具挿通穴
１６      係止ピン
１７      コッター
１９      ボルト（回転軸）
２０      コンベアベルト
【図１】
2014214005.tif 000003
【図２】
2014214005.tif 000004
【図３】
2014214005.tif 000005
【図４】
2014214005.tif 000006
【図５】
2014214005.tif 000007
【図６】
2014214005.tif 000008
【図７】
2014214005.tif 000009
【図８】
2014214005.tif 000010